(57)【要約】【課題】  眼鏡からの荷重を緩衝させることにより、鼻の側面に跡が付いたり、痛みが生じたりするのを防止し、快適な装着性が長時間得られるようにする。【解決手段】  パッド本体２と、パッド本体２に一体に設けられる蝶芯５とを備えたノーズパッド１であって、パッド本体２の内部に空隙３を設け、この空隙３をパッド本体２の長手方向の一端面に設けた開口部４を介して外部に開放させる。ノーズパッド１をメガネフレームに取り付けて眼鏡を構成し、眼鏡を顔に装着してノーズパッド１を鼻の側面に当接させる。眼鏡からの荷重がノーズパッド１に作用すると、パッド本体２が空隙３を押し潰すように弾性変形し、眼鏡からの荷重が緩衝される。ノーズパッド１が接触している鼻の側面が圧迫されて跡が付いたり、痛みが生じたりするようなことがなくなり、快適な装着性が長時間得られることになる。【選択図】        図２
2005128066.tif 000002
【特許請求の範囲】
【請求項１】
パッド本体と、該パッド本体に一体に設けられる蝶芯とを備えたノーズパッドであって、前記パッド本体の内部に少なくとも１つの空隙を設けたことを特徴とするノーズパッド。
【請求項２】
前記空隙は、前記パッド本体の内部に密閉された状態で設けられていることを特徴とする請求項１に記載のノーズパッド。
【請求項３】
前記空隙は、前記パッド本体の外面の一部に設けられている開口部を介してパッド本体の外面側に開放されていることを特徴とする請求項１に記載のノーズパッド。
【請求項４】
前記開口部を前記パッド本体の周面に設けたことを特徴とする請求項３に記載のノーズパッド。
【発明の詳細な説明】
【技術分野】
【０００１】
本発明は、メガネフレームのノーズパッドに関し、特に、緩衝機能を備えたノーズパッドに関するものである。
【背景技術】
【０００２】
メガネフレームの一例として、一対の環状のリムと、リムの内縁部間を一体に連結するブリッジと、各リムの外縁部に設けられるヨロイと、各ヨロイに丁番を介して回動自在に連結されるテンプルと、各リムの内縁部にパッド脚を介して取り付けられるノーズパッドとを備えたものが知られている（例えば、特許文献１、特許文献２参照。）。
【０００３】
このような構成のメガネフレームにあっては、各リムの内側に視力矯正用、紫外線除去用等のレンズを装着することにより所謂メガネが構成される。そして、このように構成したメガネを顔に装着してノーズパッドを鼻の側面に当て、各テンプルを耳に掛けることにより、メガネとしての機能を発揮することができるものである。
【０００４】
ところで、上記のようなメガネにあっては、ノーズパッドをシリコン樹脂等の軟質の樹脂によって形成して、ノーズパッドに接触している鼻の側面の部分が圧迫されて跡がついたり、痛みが生じたりするのを防止しているが、それだけでは十分ではなく、跡が付いたり、痛みが生じたりするのを完全に防止することはできない。
【特許文献１】特開平９−１２７４６６号公報
【特許文献２】特開平１０−２５３９２９号公報
【発明の開示】
【発明が解決しようとする課題】
【０００５】
本発明は、上記のような従来の問題を解決したものであって、メガネの使用時に鼻の側面が圧迫されて跡が付いたり、痛みが生じたりするようなことがなく、快適な装着性が長時間得られるノーズパッドを提供することを目的とするものである。
【課題を解決するための手段】
【０００６】
上記のような課題を解決するために、本発明の請求項１に係るノーズパッドは、パッド本体と、該パッド本体に一体に設けられる蝶芯とを備えたノーズパッドであって、前記パッド本体の内部に少なくとも１つの空隙を設けた手段を採用している。
【０００７】
また、本発明の請求項２に係るノーズパッドは、請求項１に記載のノーズパッドにおいて、前記空隙は、前記パッド本体の内部に密閉された状態で設けられている手段を採用している。
【０００８】
さらに、本発明の請求項３に係るノーズパッドは、請求項１に記載のノーズパッドにおいて、前記空隙は、前記パッド本体の外面の一部に設けられている開口部を介してパッド本体の外面側に開放されている手段を採用している。
【０００９】
さらに、本発明の請求項４に係るノーズパッドは、請求項３に記載のノーズパッドにおいて、前記開口部を前記パッド本体の周面に設けた手段を採用している。
【発明の効果】
【００１０】
本発明は、前記のように構成して、パッド本体の内部に空隙を設けたことにより、眼鏡からの荷重に対してパッド本体が空隙を押し潰すように弾性変形することにより、眼鏡からの荷重を緩衝させることができることになる。従って、眼鏡を長時間使用しても、パッド本体に接触している鼻の側面の部分が圧迫されて跡が付いたり、痛みが生じたりするようなことはなく、快適な装着性が長時間得られることになる。
さらに、パッド本体の内部に空隙を密封状態で設けたり、一部を開放した状態で設けたり、開口部を周面に設けたりすることにより、パッド本体のばね定数を任意に変化させることができるので、用途に応じた緩衝特性を備えたものを提供することができ、汎用性を高めることができる。
【発明を実施するための最良の形態】
【００１１】
以下、図面を参照しつつ、本発明によるノーズパッドについて説明する。
図１〜図３には、本発明によるノーズパッドの第１の実施の形態が示されていて、このノーズパッド１は、シリコン樹脂等の合成樹脂から形成されるパッド本体２と、パッド本体２の裏面側に一体に設けられる合成樹脂又は金属から形成される蝶芯５とを備えている。
【００１２】
パッド本体２は、略長方形板状をなすものであって、裏面は平面に形成されるとともに、表面は長手方向の一端から他端にかけて所定の曲率で湾曲する曲面に形成されている。パッド本体２の各角部はそれぞれ面取りされて所定の曲率の曲面に形成されている。
【００１３】
パッド本体２の内部には、四角形状の空隙３が設けられ、この空隙３は、パッド本体２の幅方向の両端面に設けられている開口部４を介して外部に開放されている。空隙３は、下面がパッド本体２の裏面に平行な平面に形成され、上面がパッド本体２の表面に略平行な曲面に形成され、長手方向の一端面がパッド本体２の長手方向の一端面に平行に形成され、長手方向の他端面がパッド本体２の長手方向の他端面に平行に形成されている。
【００１４】
パッド本体２の裏面中央部には蝶芯５が一体に設けられている。蝶芯５は、パッド本体２の裏面中央部に埋設される四角形板状の基部６と、基部６の裏面側に一体に設けられて、基部６から突出する四角柱状の支持部７とからなるものであって、支持部７の周面のうち対向する二面には所定の深さの段部８がそれぞれ設けられている。蝶芯５は、パッド本体２と同様にシリコン樹脂等の合成樹脂で形成しても良いし、各種の純金属、合金等で形成しても良い。
【００１５】
そして、上記のように構成したこの実施の形態によるノーズパッド１を、その蝶芯５の支持部７をメガネフレームの各ノーズ脚に取り付けることにより眼鏡フレームを構成し、そして、各枠の内側に視力矯正用等のレンズを取り付けることにより眼鏡を構成する。
【００１６】
そして、眼鏡を顔に装着してノーズパッド１を鼻の側面に接触させ、テンプルを耳に掛着させることにより、眼鏡を顔の所定の位置に保持することができ、レンズを介して視力を矯正等することができるものである。
【００１７】
上記のように構成したこの実施の形態によるノーズパッド１にあっては、眼鏡からの荷重がノーズパッド１に作用した場合に、パッド本体２が空隙３を押し潰すように弾性変形することにより、その荷重を緩衝させることができるので、ノーズパッド１によって鼻の側面が圧迫されて跡が付いたり、痛みが生じたりするようなことはなく、快適な装着性が長時間得られることになる。
【００１８】
図４〜図６には、本発明によるノーズパッドの第２の実施の形態が示されていて、このノーズパッド１１は、パッド本体１２を楕円形板状に形成するとともに、パッド本体１２の内部に楕円形状の空隙１３を形成し、この空隙１３をパッド本体１２の長手方向の一端面に設けた開口部１４を介して外部に開放させたものであって、その他の構成は前記第１の実施の形態に示すものと同様である。
【００１９】
この場合、蝶芯１５は、楕円形板状の基部１６と、基部１６の中央部に一体に設けられる四角柱状の支持部１７とからなり、支持部１７には貫通孔１８が設けられている。
【００２０】
そして、この実施の形態によるノーズパッド１１にあっても、前記第１の実施の形態に示すものと同様に、眼鏡からの荷重がノーズパッド１１に作用した場合に、パッド本体１２が空隙１３を押し潰すように弾性変形することにより、その荷重を緩衝させることができるので、ノーズパッド１１によって鼻の側面が圧迫されて跡が付いたり、痛みが生じたりするようなことはなく、快適な装着性が長時間得られることになる。
【００２１】
図７〜図９には、本発明によるノーズパッドの第３の実施の形態が示されていて、このノーズパッド２１は、パッド本体２２を半楕円形板状に形成するとともに、このパッド本体２２の内部に半楕円形状の空隙２３を形成し、この空隙２３をパッド本体２２の幅方向の一端面に設けた開口部２４を介して外部に開放させたものであって、その他の構成は前記第１の実施の形態に示すものと同様である。
【００２２】
この場合、蝶芯２５は、楕円形板状の基部２６と、基部２６の中央部に一体に設けられる四角柱状の支持部２７とからなり、支持部２７には貫通孔２８が設けられている。
【００２３】
そして、この実施の形態によるノーズパッド２１にあっても、前記第１の実施の形態に示すものと同様に、眼鏡からの荷重がノーズパッド２１に作用した場合に、パッド本体２２が空隙２３を押し潰すように弾性変形することにより、その荷重を緩衝させることができるので、ノーズパッド２１によって鼻の側面が圧迫されて跡が付いたり、痛みが生じたりするようなことはなく、快適な装着性が長時間得られることになる。
【００２４】
図１０〜図１２には、本発明によるノーズパッドの第４の実施の形態が示されていて、このノーズパッド３１は、パッド本体３２を楕円形板状に形成するとともに、パッド本体３２の内部に２つの空隙３３、３３を長手方向に所定の間隔をおいて設け、各空隙３３をそれぞれパッド本体３２の幅方向の両端面に設けた開口部３４を介して外部に開放させたものであって、その他の構成は前記第１の実施の形態に示すものと同様である。
【００２５】
この場合、蝶芯３５は、楕円形板状の基部３６と、基部３６の中央部に一体に設けられる四角柱状の支持部３７とからなり、支持部３７には貫通孔３８が設けられている。
【００２６】
そして、この実施の形態によるノーズパッド３１にあっても、前記第１の実施の形態に示すものと同様に、眼鏡からの荷重がノーズパッド３１に作用した場合に、パッド本体３２が空隙３３を押し潰すように弾性変形することにより、その荷重を緩衝させることができるので、ノーズパッド３１によって鼻の側面が圧迫されて跡が付いたり、痛みが生じたりするようなことはなく、快適な装着性が長時間得られることになる。
【００２７】
なお、前記各実施の形態においては、空隙をパッド本体の周面に設けた開口部を介して外部に開放させたが、開口部を設けずに空隙をパッド本体の内部に密閉状態で設けても良いものであり、その場合にも同様の作用効果を奏するのは勿論のことである。
【図面の簡単な説明】
【００２８】
【図１】本発明によるノーズパッドの第１の実施の形態を示した平面図である。
【図２】図１のＡ−Ａ線断面図である。
【図３】図１のＢ−Ｂ線断面図である。
【図４】本発明によるノーズパッドの第２の実施の形態を示した平面図である。
【図５】図４のＡ−Ａ線断面図である。
【図６】図４のＢ−Ｂ線断面図である。
【図７】本発明によるノーズパッドの第３の実施の形態を示した平面図である。
【図８】図７のＡ−Ａ線断面図である。
【図９】図７の正面図である。
【図１０】本発明によるノーズパッドの第４の実施の形態を示した平面図である。
【図１１】図１０のＡ−Ａ線断面図である。
【図１２】図１０のＢ−Ｂ線断面図である。
【符号の説明】
【００２９】
１、１１、２１、３１  ノーズパッド
２、１２、２２、３２  パッド本体
３、１３、２３、３３  空隙 
４、１４、２４、３４  開口部
５、１５、２５、３５  蝶芯
６、１６、２６、３６  基部
７、１７、２７、３７  支持部
８  段部
１８、２８、３８  貫通孔
【図１】
2005128066.tif 000003
【図２】
2005128066.tif 000004
【図３】
2005128066.tif 000005
【図４】
2005128066.tif 000006
【図５】
2005128066.tif 000007
【図６】
2005128066.tif 000008
【図７】
2005128066.tif 000009
【図８】
2005128066.tif 000010
【図９】
2005128066.tif 000011
【図１０】
2005128066.tif 000012
【図１１】
2005128066.tif 000013
【図１２】
2005128066.tif 000014